(57)【特許請求の範囲】
【請求項１】
映像を表示する表示装置の製造方法であって、
前記映像を表示する表示領域を規定する複数の表示画素を含む表示パネルを準備する第１工程と、
前記表示領域を複数の分割領域に区分けする第２工程と、
前記映像を表示するために前記表示パネルを駆動するときに生ずる熱によって発生する前記表示領域中の温度分布に対応して、前記分割領域ごとにエイジング条件を設定する第３工程と、
前記エイジング条件の下、前記分割領域ごとに前記表示画素をエイジングする第４工程と、を含むことを特徴とする表示装置の製造方法。
【請求項２】
前記第２工程において、前記表示領域は、前記温度分布の温度域に基づき、前記複数の分割領域に分割されることを特徴とする請求項１に記載の表示装置の製造方法。
【請求項３】
前記表示装置と共通する製造条件下で製造された他の表示装置から前記温度分布に関する分布データを取得する工程を更に含み、
前記エイジング条件は、前記分布データに基づき設定されることを特徴とする請求項１又は２に記載の表示装置の製造方法。
【請求項４】
前記分布データは、前記共通する製造条件下で製造された他の複数の表示パネルから得られた温度分布の平均データであることを特徴とする請求項３に記載の表示装置の製造方法。
【請求項５】
前記第１工程において準備された前記表示画素が所定の輝度を指示する輝度信号の下において発する処理前輝度よりも、前記第４工程後において前記輝度信号の下、前記表示画素が発する処理後輝度の方が低くなるように、前記エイジング条件が設定されることを特徴とする請求項１乃至４のいずれか１項に記載の表示装置の製造方法。
【請求項６】
前記複数の分割領域は、前記熱によって１０℃以上の温度上昇が観察される第１分割領域を含み、
前記エイジング条件は、前記第１分割領域の処理前輝度に対して、前記第１分割領域の処理後輝度が５％以上低下するように設定されることを特徴とする請求項５に記載の表示装置の製造方法。
【請求項７】
前記複数の分割領域は、前記熱によって２５℃以上の温度上昇が観察される第２分割領域を含み、
前記エイジング条件は、前記第２分割領域の処理前輝度に対して、前記第２分割領域の処理後輝度が１４％以上低下するように設定されることを特徴とする請求項６に記載の表示装置の製造方法。
【請求項８】
前記複数の分割領域は、前記熱によって５０℃以上の温度上昇が観察される第３分割領域を含み、
前記エイジング条件は、前記第３分割領域の処理前輝度に対して、前記第３分割領域の処理後輝度が３２％以上低下するように設定されることを特徴とする請求項７に記載の表示装置の製造方法。
【請求項９】
前記第１工程において、前記表示画素を駆動する駆動部が前記表示パネルに取り付けられ、
前記駆動部は、前記第４工程の後、前記エイジング条件に基づき、前記表示画素を駆動するための信号電流を印加することを特徴とする請求項１乃至８のいずれか１項に記載の表示装置の製造方法。
【請求項１０】
前記第４工程において、前記表示画素は、該表示画素を発光させる発光処理、前記表示画素を加熱する加熱処理及び前記表示画素を所定の周波数で駆動する駆動処理のうち少なくとも１つのエイジング処理を受けることを特徴とする請求項８に記載の表示装置の製造方法。
【請求項１１】
前記第４工程において、
前記第２分割領域の前記表示画素は、前記第１分割領域の前記表示画素よりも長い期間、前記少なくとも１つのエイジング処理を受け、
前記第３分割領域の前記表示画素は、前記第２分割領域の前記表示画素よりも長い期間、前記少なくとも１つのエイジング処理を受けることを特徴とする請求項８に記載の表示装置の製造方法。
【請求項１２】
前記第４工程において、
前記第２分割領域の前記表示画素は、前記第１分割領域の前記表示画素よりも高い輝度で発光され、
前記第３分割領域の前記表示画素は、前記第２分割領域の前記表示画素よりも高い輝度で発光されることを特徴とする請求項８に記載の表示装置の製造方法。
【請求項１３】
前記第４工程において、
前記第２分割領域の前記表示画素は、前記第１分割領域の前記表示画素よりも高い温度環境に曝され、
前記第３分割領域の前記表示画素は、前記第２分割領域の前記表示画素よりも高い温度環境に曝されることを特徴とする請求項８に記載の表示装置の製造方法。
【請求項１４】
前記第４工程において、
前記第２分割領域の前記表示画素は、前記第１分割領域の前記表示画素よりも高い周波数で駆動され、
前記第３分割領域の前記表示画素は、前記第２分割領域の前記表示画素よりも高い周波数で駆動されることを特徴とする請求項８に記載の表示装置の製造方法。
【発明の詳細な説明】
【技術分野】
【０００１】
本発明は、映像を表示する表示装置の製造方法及び当該製造方法によって製造された表示装置に関する。
【背景技術】
【０００２】
表示装置は、一般的に、映像を表示するための表示パネルと、表示パネルを駆動する駆動回路基板と、これらを収容並びに保持する筐体と、を備える。駆動回路基板が表示パネルに近接して取り付けられるならば、表示パネル及び駆動回路基板は、筐体内にコンパクトに収容される。
【０００３】
駆動回路基板が表示パネルを駆動している間、駆動回路基板は発熱する。駆動回路基板が表示パネルに近接して取り付けられるならば、駆動回路基板からの熱は、表示パネルに伝達されやすくなる。
【０００４】
表示装置として、有機ＥＬ（エレクトロルミネセンス）ディスプレイが例示される。有機ＥＬディスプレイは、有機ＥＬ発光素子を含む。有機ＥＬ発光素子の発光層は、熱によって、特に劣化しやすい。したがって、駆動回路基板からの熱による表示パネルの温度上昇下において、有機ＥＬ発光素子の輝度は、経時的に低下する。
【０００５】
有機ＥＬ発光素子の輝度低下は、表示装置が製造された直後の初期発光時において特に顕著である。初期発光時の輝度低下の抑制のために、有機ＥＬ発光素子を予めエイジングするエイジング処理が知られている（例えば、特許文献１乃至３を参照）。
【先行技術文献】
【特許文献】
【０００６】
【特許文献１】特開２００７−１０３０６８号公報
【特許文献２】特開平１−１８９８８９号公報
【特許文献３】特開昭６２−１４３３９５号公報
【発明の概要】
【発明が解決しようとする課題】
【０００７】
従来のエイジング処理の手法は、映像を表示するための発光素子の輝度低下をもたらす直接的な原因である熱をほとんど考慮していない。したがって、従来のエイジング処理の手法を用いても、表示装置は、長期に亘って均一な画質を維持することができない。
【０００８】
本発明は、長期に亘って均一な画質を維持することができる表示装置の製造方法及び当該製造方法から得られた表示装置を提供することを目的とする。
【課題を解決するための手段】
【０００９】
本発明の一の局面に係る映像を表示する表示装置の製造方法は、前記映像を表示する表示領域を規定する複数の表示画素を含む表示パネルを準備する第１工程と、前記表示領域を複数の分割領域に区分けする第２工程と、前記映像を表示するために前記表示パネルを駆動するときに生ずる熱によって発生する前記表示領域中の温度分布に対応して、前記分割領域ごとにエイジング条件を設定する第３工程と、前記エイジング条件の下、前記分割領域ごとに前記表示画素をエイジングする第４工程と、を含むことを特徴とする。
【００１０】
本発明の他の局面に係る表示装置は、前記映像を表示する表示領域を規定する複数の表示画素を含む表示パネルを備え、前記表示領域は、第１領域と、前記映像の表示のために前記表示パネルが駆動されている間、前記第１領域よりも高温となる第２領域と、を含み、前記複数の表示画素は、前記第１領域において前記映像を表示する第１表示画素と、前記第２領域において前記映像を表示する第２表示画素と、を含み、前記複数の表示画素に亘って所定電流が所定期間印加されたときの前記第１表示画素の輝度の降下率と、前記所定電流が前記所定期間印加されたときの前記第２表示画素の輝度の降下率と、の間の差異は、１０％以内であることを特徴とする。
【発明の効果】
【００１１】
本発明に係る表示装置は、表示領域中の温度分布に応じたエイジング処理を経て製造されるので、長期に亘って均一な画質を維持することができる。
【図面の簡単な説明】
【００１２】
【図１】映像を表示する表示装置の製造方法の概略的なフローチャートである。
【図２】図１に示される製造方法の組立工程において組み立てられる組立体の概略的な正面図である。
【図３】図２に示される組立体の概略的な側面図である。
【図４】図２に示される組立体の概略的な背面図である。
【図５】図２に示される組立体が有する表示領域中で生ずる温度分布を表す概略的な等温線図である。
【図６】図５に示される表示領域中に設定される分割領域の概略図である。
【図７】図５に示される表示領域に設定される他の分割領域の概略図である。
【図８】図１に示される製造方法のエイジング条件設定工程及びエイジング工程の手順を概略的に示すフローチャートである。
【図９】図７に示される分割領域を含む表示領域の概略図である。
【図１０】図８に示されるエイジング条件設定工程において用いられるエイジング条件の概略的な表である。
【図１１】図８に示されるエイジング処理に要する期間を表す概略的なチャートである。
【図１２】図１に示される製造方法に従って製造された表示装置の概略的な斜視図である。
【図１３Ａ】図１２に示される表示装置の輝度特性を概略的に表すグラフである。
【図１３Ｂ】エイジング処理を受けない表示装置の輝度特性を概略的に表すグラフである。
【発明を実施するための形態】
【００１３】
以下、表示装置の製造方法及び当該製造方法に従って製造された表示装置が図面を参照して説明される。尚、以下に説明される実施形態において、同様の構成要素に対して同様の符号が付されている。また、説明の明瞭化のため、必要に応じて、重複する説明は省略される。図面に示される構成、配置或いは形状並びに図面に関連する記載は、表示装置の原理を容易に理解させることを目的とするものであり、表示装置の原理はこれらに何ら限定されるものではない。
【００１４】
（表示装置の製造方法）
図１は、映像を表示する表示装置の製造方法の概略的なフローチャートである。図１を用いて、表示装置の概略的な製造方法が説明される。
【００１５】
（ステップＳ１００）
表示装置の製造方法において、まず、組立工程（ステップＳ１００）が実行される。組立工程において、映像が表示される表示領域を含む表示パネル及び表示パネルを駆動するための駆動回路基板が用意される。その後、駆動回路基板は、表示パネルに取り付けられる。本実施形態において、組立工程は、第１工程として例示される。表示パネルと駆動回路基板との組立体及び駆動回路基板による表示パネルの駆動下における表示パネルの温度分布は後述される。表示パネルに駆動回路基板が取り付けられた後、ステップＳ２００が実行される。
【００１６】
（ステップＳ２００）
ステップＳ２００において、表示領域を複数の分割領域に区分けする区分工程が実行される。本実施形態において、表示領域の複数の分割領域への区分は、駆動回路基板による表示パネルの駆動下における表示パネルの温度分布に基づく。表示領域の複数の分割領域への区分手法は後述される。表示領域が複数の分割領域に区分けされると、ステップＳ３００が実行される。本実施形態において、区分工程は、第２工程として例示される。
【００１７】
（ステップＳ３００）
ステップＳ３００において、分割領域ごとにエイジング条件が設定される（エイジング条件設定工程）。上述の如く、表示領域の複数の分割領域への区分は、駆動回路基板による表示パネルの駆動下における表示パネルの温度分布に基づく。したがって、分割領域ごとにエイジング条件が適切に設定されるならば、エイジング条件は、映像を表示するために表示パネルを駆動するときに生ずる熱によって発生する表示領域中の温度分布に対応することとなる。表示領域に設定された複数の分割領域それぞれに対してエイジング条件が設定されると、ステップＳ４００が実行される。本実施形態において、エイジング条件設定工程は、第３工程として例示される。
【００１８】
（ステップＳ４００）
ステップＳ４００において、エイジング条件設定工程において設定されたエイジング条件の下、分割領域毎にエイジング処理が実行される（エイジング工程）。分割領域毎のエイジング処理は、後述される。本実施形態において、エイジング工程は、第４工程として例示される。
【００１９】
（組立工程によって組み立てられる組立体）
図２は、上述の組立工程において組み立てられる組立体３００の概略的な正面図である。図３は、図２に示される組立体３００の概略的な側面図である。図４は、図２に示される組立体３００の概略的な背面図である。図２乃至図４を用いて、組立体３００が説明される。
【００２０】
上述の如く、組立体３００は、表示パネル１００と駆動回路基板２００と、を備える。図２に示される如く、表示パネル１００は、矩形状の表示領域１１０を規定するように行列状（マトリックス状）に配設された複数の表示画素１１１と、複数の表示画素１１１それぞれを支持するための基板１２０と、を含む。図３に示される如く、基板１２０は、表示領域１１０が形成される第１面１２１と、第１面１２１とは反対側の第２面１２２と、を含む。
【００２１】
図３及び図４に示される如く、組立工程において、駆動回路基板２００は、基板１２０の第２面１２２に取り付けられる。駆動回路基板２００は、複数の表示画素１１１それぞれに電気的に接続され、複数の表示画素１１１それぞれを駆動する。本実施形態において、駆動回路基板２００は、表示領域１１０に不均一な温度分布を生じさせる熱源として作用する。尚、表示装置は、映像を表示するために表示パネルに熱を発生し、表示領域に不均一な温度分布を生じさせる他の熱源を有してもよい。本実施形態において、駆動回路基板２００は、駆動部として例示される。
【００２２】
（表示領域中の温度分布）
図５は、表示領域１１０中で生ずる温度分布を表す概略的な等温線図である。図１、図４及び図５を用いて、表示領域１１０中で生ずる温度分布が説明される。
【００２３】
図４に示される如く、本実施形態において、駆動回路基板２００は、基板１２０の略中央（即ち、表示領域１１０の略中央に対応する第２面１２２）に取り付けられている。したがって、表示領域１１０が所定輝度（例えば、６０ｃｄ／ｍ２）で一様に発光されるならば、表示領域１１０の中央領域は、他の領域と比べて高温となる。尚、駆動回路基板が表示領域の下部領域の近くに取り付けられるならば、表示領域の下部領域が他の領域よりも高温となる。駆動回路基板が表示領域の上部領域の近くに取り付けられるならば、表示領域の上部領域が他の領域よりも高温となる。本実施形態において、表示領域１１０の中央領域は、第２領域として例示される。中央領域の周囲の領域は、第１領域として例示される。なお、駆動回路基板２００は、第２面１２２に固定されなくともよい。
【００２４】
図５に示される等温線図は、区分工程或いはエイジング条件設定工程において、基準として用いられる表示領域１１０中の温度分布に関する分布データとして例示される。分布データは、組立工程の前に予め取得されてもよい。上述のエイジング条件設定工程において、エイジング条件は、分布データに基づき設定される。
【００２５】
分布データは、好適には、本実施形態の表示装置が製造される製造条件と共通する製造条件で製造された他の表示装置から取得される。例えば、分布データを取得するための他の表示装置が、本実施形態の表示装置の表示パネル１００と駆動回路基板２００との組立工程に用いられた組立ラインで組み立てられるならば、分布データは、表示パネル１００と駆動回路基板２００との間の取付誤差に起因する誤差をほとんど含まない。或いは、分布データを取得するための他の表示装置が、本実施形態の表示装置の駆動回路基板２００と同一の製造ラインで製造された駆動回路基板を備えるならば、分布データは、駆動回路基板の発熱特性に起因する誤差をほとんど含まない。
【００２６】
更に好ましくは、温度分布データを取得するために、共通する製造条件下で製造された複数の表示装置が用意される。複数の表示装置の温度分布データが平均化されたデータが区分工程或いはエイジング条件設定工程において、基準として用いられるならば、分割領域及びエイジング条件は、一層、適切に設定される。
【００２７】
（分割領域の設定）
図６は、表示領域１１０中に設定される分割領域の概略図である。図１及び図６を用いて、表示領域１１０中に設定される分割領域が説明される。
【００２８】
図６に示される表示領域１１０中には、最も小さな領域を取り囲む等温線Ｃ１及び等温線Ｃ１を取り囲む等温線Ｃ２が示されている。等温線Ｃ１によって囲まれる領域は、表示領域１１０中、最も高温となる。以下の説明において、等温線Ｃ１によって囲まれる領域は、「高温領域」と称される。等温線Ｃ２より外側の領域は、表示領域１１０中、比較的低温である。以下の説明において、等温線Ｃ２より外側の領域は、「低温領域」と称される。等温線Ｃ１と等温線Ｃ２とによって囲まれる領域は、低温領域と高温領域との間の温度である。以下の説明において、等温線Ｃ１と等温線Ｃ２とによって囲まれる領域は、「中間領域」と称される。
【００２９】
等温線Ｃ１，Ｃ２に加えて、図６に示される表示領域１１０中には、等温線Ｃ１に外接するように規定された矩形枠Ｆ１及び等温線Ｃ２に外接するように規定された矩形枠Ｆ２が示されている。以下の説明において、矩形枠Ｆ１内の領域は、「分割領域Ｄ１」と称される。矩形枠Ｆ１と矩形枠Ｆ２との間の領域は、「分割領域Ｄ２」と称される。矩形枠Ｆ２よりも外側の領域は、「分割領域Ｄ３」と称される。
【００３０】
図６に示される如く、等温線Ｃ１，Ｃ２に外接する矩形枠Ｆ１，Ｆ２によって分割領域Ｄ１乃至Ｄ３が規定されるならば、分割領域Ｄ１乃至Ｄ３それぞれは、表示領域１１０内の温度分布の温度域に対応することとなる。即ち、分割領域Ｄ１は、高温領域の温度域に対応する。分割領域Ｄ２は、中間領域の温度域に対応する。分割領域Ｄ３は、低温領域の温度域に対応する。
【００３１】
高温領域の温度が、「Ｔ１」で表されるならば、エイジング条件設定工程において、分割領域Ｄ１の温度は、「Ｔ１」に設定されてもよい。代替的に、高温領域と分割領域Ｄ１との間の形状的差異（面積及び／又は形状）に基づく補正値と高温領域の温度「Ｔ１」とを用いて、エイジング条件設定工程において、分割領域Ｄ１の温度が設定されてもよい。
【００３２】
中間領域の温度が、「Ｔ２」で表されるならば、エイジング条件設定工程において、分割領域Ｄ２の温度は、「Ｔ２」に設定されてもよい。代替的に、中間領域と分割領域Ｄ２との間の形状的差異（面積及び／又は形状）に基づく補正値と中間領域の温度「Ｔ２」とを用いて、エイジング条件設定工程において、分割領域Ｄ２の温度が設定されてもよい。
【００３３】
低温領域の温度が、「Ｔ３」で表されるならば、エイジング条件設定工程において、分割領域Ｄ３の温度は、「Ｔ３」に設定されてもよい。代替的に、低温領域と分割領域Ｄ３との間の形状的差異（面積及び／又は形状）に基づく補正値と低温領域の温度「Ｔ３」とを用いて、エイジング条件設定工程において、分割領域Ｄ３の温度が設定されてもよい。
【００３４】
図６に示される分割領域Ｄ１乃至Ｄ３の設定において、等温線Ｃ１，Ｃ２に外接する矩形枠Ｆ１，Ｆ２が用いられている。代替的に或いは追加的に、等温線に内接する矩形枠が表示領域を区分するために用いられてもよい。分割領域の設定の基準となる等温線の数は、「１」であってもよく、「２」よりも大きくともよい。分割領域の設定の基準となる等温線の数が大きいならば、エイジング条件設定工程において設定されるエイジング条件に対して、表示領域の温度分布は一層反映される。一方、分割領域の設定の基準となる等温線の数の増大は、エイジング条件設定工程及びエイジング工程を煩雑にすることもあるので、好ましくは、分割領域は、温度分布への適合度とエイジング条件設定工程及びエイジング工程の煩雑さを考慮に入れて設定される。
【００３５】
図７は、表示領域１１０中に設定される他の分割領域の概略図である。図１、図６及び図７を用いて、表示領域１１０中に設定される分割領域が説明される。
【００３６】
図７に示される表示領域１１０中には、マトリックス状に配列された矩形状の分割領域Ｄ１１乃至Ｄ７６が示されている。図７に示される如く、区分工程において、表示領域１１０中で生ずる温度分布に無関係に、分割領域Ｄ１１乃至Ｄ７６が設定されてもよい。区分工程の後のエイジング条件設定工程において、温度分布に対応した温度が分割領域Ｄ１１乃至Ｄ７６に割り当てられ、エイジング条件が設定されるならば、表示領域１１０中の温度分布はエイジング条件に反映されることとなる。
【００３７】
例えば、図７に示される分割領域Ｄ４４は、高温領域に包含される。したがって、高温領域の温度が、「Ｔ１」で表されるならば、エイジング条件設定工程において、分割領域Ｄ１１の温度は、「Ｔ１」に設定されてもよい。
【００３８】
図７に示される分割領域Ｄ２２は、高温領域と中間領域とを含む。したがって、高温領域の温度が「Ｔ１」で表され、且つ、中間領域の温度が「Ｔ２」で表されるならば、エイジング条件設定工程において、分割領域Ｄ２２の温度は、「Ｔ１」と「Ｔ２」との間に設定されてもよい。
【００３９】
図７に示される分割領域Ｄ１１は、低温領域に略包含される。したがって、低温領域の温度が「Ｔ３」で表されるならば、エイジング条件設定工程において、分割領域Ｄ１１の温度は、「Ｔ３」に設定されてもよい。
【００４０】
図７において、表示領域１１０は、７行×６列のマトリックス状に分割されている。尚、表示領域の分割パターンは、図７に示されるパターンよりも粗くともよく、細かくてもよい。分割パターンが細かく設定されるならば、エイジング条件設定工程において設定されるエイジング条件に対して、表示領域の温度分布は一層反映される。一方、分割パターンの細かさは、エイジング条件設定工程及びエイジング工程を煩雑にすることもあるので、好ましくは、分割パターンは、温度分布への適合度とエイジング条件設定工程及びエイジング工程の煩雑さを考慮に入れて設定される。
【００４１】
図６及び図７において、複数の矩形領域によって分割領域が表されている。代替的に、他の形状（三角形領域、円形領域や他の幾何学的形状）の領域によって分割領域が規定されてもよい。
【００４２】
（エイジング条件設定工程及びエイジング工程）
図８は、エイジング条件設定工程及びエイジング工程の手順を概略的に示すフローチャートである。図９は、図７と同様に分割領域Ｄ１１乃至Ｄ７６に区分された表示領域１１０の概略図である。図１０は、エイジング条件の概略的な表である。図１乃至図３並びに図７乃至図１０を用いて、エイジング条件設定工程及びエイジング工程が説明される。
【００４３】
（ステップＳ３１０）
図１に関連して説明された区分工程において、表示領域１１０が分割領域Ｄ１１乃至Ｄ７６に区分されると、ステップＳ３１０が実行される。ステップＳ３１０において、図７に関連して説明された如く、所定輝度で表示領域１１０全体が発光したときに生ずる温度分布を反映した温度データが分割領域Ｄ１１乃至Ｄ７６それぞれに割り当てられる。
【００４４】
図９には、分割領域Ｄ１１乃至Ｄ７６にそれぞれ割り当てられた温度データＴＤ１１乃至ＴＤ７６が示されている。図７に関連して説明された如く、例えば、高温領域に包含される分割領域Ｄ４４に対して割り当てられた温度データＴＤ４４は、他の分割領域よりも高く設定される。低温領域に略包含される分割領域Ｄ１１に対して割り当てられた温度データＴＤ１１は、他の分割領域よりも低く設定される。高温領域と中間領域とを含む分割領域Ｄ２２に割り当てられた温度データＴＤ２２は、温度データＴＤ４４と温度データＴＤ１１との間の温度に設定される。これらの温度データの関係は、以下の数式で表される。分割領域Ｄ１１乃至Ｄ７６にそれぞれに対して温度データＴＤ１１乃至ＴＤ７６が割り当てられると、ステップＳ３２０が実行される。
【００４５】
（数１）
ＴＤ４４＞ＴＤ２２＞ＴＤ１１
【００４６】
（ステップＳ３２０）
ステップＳ３２０において、分割領域Ｄ１１乃至Ｄ７６にそれぞれに対して、割り当てられた温度データＴＤ１１乃至ＴＤ７６に基づき、エイジング率が設定される。エイジング率は、以下の数式によって定義されてもよい。
【００４７】
（数２）
0005842249.tif 000002
【００４８】
上述のエイジング率に対する定義式において、「処理前輝度」とは、エイジング処理の前における表示画素１１１の輝度を意味する。例えば、「組立工程」の直後において、駆動回路基板２００が表示画素１１１それぞれに対して所定の輝度での発光を指示するための輝度信号を表示パネル１００に出力したときに、分割領域Ｄ１１乃至Ｄ７６が実際に発光する輝度を意味する。「処理後輝度」とは、エイジング処理後において、同輝度信号の下で発光する分割領域Ｄ１１乃至Ｄ７６の実際の輝度を意味する。
【００４９】
エイジング条件は、エイジング工程後において表示画素１１１が発する輝度が、同表示画素１１１の処理前輝度より低くなるように設定される。したがって、エイジング率は、０％以上１００％以下の範囲の値に設定される。尚、上述のエイジング率に対する定義は、例示的である。したがって、エイジングの程度を表す他の適切な定義がエイジング率に対して用いられてもよい。
【００５０】
図９には、分割領域Ｄ１１乃至Ｄ７６それぞれに対して設定されたエイジング率ＡＲ１１乃至ＡＲ７６が示されている。高い温度を表す温度データが割り当てられた分割領域に対して、高いエイジング率が設定される。上述の如く、分割領域Ｄ４４に割り当てられた温度データＴＤ４４は、他の分割領域（例えば、分割領域Ｄ２２や分割領域Ｄ１１）よりも高い温度を指し示すので、分割領域Ｄ４４に設定されるエイジング率ＡＲ４４は、他の領域に設定されるエイジング率（例えば、分割領域Ｄ２２に設定されるエイジング率ＡＲ２２や分割領域Ｄ１１に設定されるエイジング率ＡＲ１１）よりも高い。分割領域Ｄ１１に割り当てられた温度データＴＤ１１は、他の分割領域（例えば、分割領域Ｄ２２や分割領域Ｄ４４）よりも低い温度を指し示すので、分割領域Ｄ１１に設定されるエイジング率ＡＲ１１は、他の領域に設定されるエイジング率（例えば、分割領域Ｄ２２に設定されるエイジング率ＡＲ２２や分割領域Ｄ４４に設定されるエイジング率ＡＲ４４）よりも低い。分割領域Ｄ２２に割り当てられた温度データＴＤ２２は、上述の如く、分割領域Ｄ１１に割り当てられた温度データＴＤ１１と分割領域Ｄ４４に割り当てられた温度データＴＤ４４との間の温度を指し示す。したがって、分割領域Ｄ２２に対して、分割領域Ｄ１１に設定されたエイジング率ＡＲ１１と分割領域Ｄ４４に設定されたエイジング率ＡＲ４４との間の大きさのエイジング率ＡＲ２２が設定される。
【００５１】
図１０に示されるように、所定輝度（例えば、「６０ｃｄ／ｍ２」）の処理前輝度で表示領域１１０を全体的に発光させたときに、駆動回路基板２００が発した熱によって生じた温度分布（図７を参照）に基づき、例えば、分割領域Ｄ１１において、基準温度（例えば、２５℃）に対して１０℃以上の温度上昇が観察されるならば、分割領域Ｄ１１に対して、「５％」のエイジング率ＡＲ１１が設定される（即ち、処理前輝度に対して、処理後輝度が５％低下するようにエイジング率ＡＲ１１が設定される）。例えば、分割領域Ｄ２２において、基準温度に対して、２５℃以上の温度上昇が観察されるならば、分割領域Ｄ２２に対して、「１４％」のエイジング率ＡＲ２２が設定される（即ち、処理前輝度に対して、処理後輝度が１４％低下するようにエイジング率ＡＲ２２が設定される）。例えば、分割領域Ｄ４４において、５０℃以上の温度上昇が観察されるならば、分割領域Ｄ４４に対して、「３２％」のエイジング率ＡＲ４４が設定される（即ち、処理前輝度に対して、処理後輝度が３２％低下するようにエイジング率ＡＲ４４が設定される）。上述の如く、分割領域Ｄ１１において、基準温度に対して１０℃以上の温度上昇が観察されるならば、分割領域Ｄ１１は、第１分割領域として例示される。分割領域Ｄ２２において、基準温度に対して、２５℃以上の温度上昇が観察されるならば、分割領域Ｄ２２は、第２分割領域として例示される。分割領域Ｄ３３において、基準温度に対して、５０℃以上の温度上昇が観察されるならば、第３分割領域として例示される。これらのエイジング率の関係は、以下の数式で表される。
【００５２】
（数３）
ＡＲ４４＞ＡＲ２２＞ＡＲ１１
【００５３】
上述の説明において、エイジング率の設定のために、基準温度（室温）に対して上昇した温度が用いられている。代替的に、所定輝度（例えば、「６０ｃｄ／ｍ２」）の処理前輝度で表示領域１１０を全体的に発光させたときの表示領域１１０全体の平均温度に対する各分割領域Ｄ１１乃至Ｄ７６の温度差がエイジング率の設定に用いられてもよい。
【００５４】
分割領域Ｄ１１乃至Ｄ７６にエイジング率ＡＲ１１乃至ＡＲ７６がそれぞれ設定されると、ステップＳ４１０が実行される。尚、ステップＳ３１０及びステップＳ３２０は、図１に関連して説明されたエイジング条件設定工程に含まれる。ステップＳ４１０以降の工程は、エイジング工程に含まれる。
【００５５】
（ステップＳ４１０）
ステップＳ４１０において、分割領域Ｄ１１乃至Ｄ７６それぞれに対して、エイジング処理が行われる。本実施形態において、分割領域Ｄ１１乃至Ｄ７６は、所定輝度（例えば、「６０ｃｄ／ｍ２」）で連続的に発光される。代替的に、分割領域Ｄ１１乃至Ｄ７６は、所定温度まで一様に加熱されてもよい（加熱処理）。更に代替的に、分割領域Ｄ１１乃至Ｄ７６は、１２０Ｈｚ或いは１８０Ｈｚといった高周波数で駆動されてもよい（高周波駆動処理）。更に代替的に、エイジング処理のために連続的な発光処理、加熱処理及び高周波駆動処理が組み合わされてもよい。分割領域Ｄ１１乃至Ｄ７６が、所定期間に亘って、連続的に発光されると、ステップＳ４２０が実行される。
【００５６】
（ステップＳ４２０）
ステップＳ４２０において、全ての分割領域Ｄ１１乃至Ｄ７６がステップＳ３２０で設定されたエイジング率を達成したか否かが判定される。全ての分割領域Ｄ１１乃至Ｄ７６が設定されたエイジング率を達成しているならば、エイジング工程は終了する。分割領域Ｄ１１乃至Ｄ７６の一部又は全部がエイジング率を達成していないならば、ステップＳ４３０が実行される。
【００５７】
（ステップＳ４３０）
ステップＳ４３０において、分割領域Ｄ１１乃至Ｄ７６の一部が、設定されたエイジング率を達成しているか、分割領域Ｄ１１乃至Ｄ７６全てが設定されたエイジング率を達成していないかが判定される。分割領域Ｄ１１乃至Ｄ７６の一部が、設定されたエイジング率を達成しているならば、ステップＳ４４０が実行される。その他の場合は、ステップＳ４１０が再度実行される。
【００５８】
（ステップＳ４４０）
ステップＳ４４０において、設定されたエイジング率を達成した一部の分割領域に対するエイジング処理が停止される。一方で、設定されたエイジング率を達成していない他の分割領域に対するエイジング処理は継続される。他の分割領域に対して、所定期間、エイジング処理が継続されると、ステップＳ４５０が実行される。
【００５９】
（ステップＳ４５０）
ステップＳ４５０において、全ての分割領域Ｄ１１乃至Ｄ７６がステップＳ３２０で設定されたエイジング率を達成したか否かが判定される。全ての分割領域Ｄ１１乃至Ｄ７６が設定されたエイジング率を達成しているならば、エイジング工程は終了する。分割領域Ｄ１１乃至Ｄ７６の一部がエイジング率を達成していないならば、ステップＳ４４０が再度実行される。
【００６０】
図１１は、エイジング処理に要する期間を表す概略的なチャートである。図１乃至図３並びに図８、図９及び図１１を用いて、エイジング処理に要する期間が説明される。
【００６１】
図１１のチャートの横軸は、エイジング処理を開始時刻からの経過時間を表す。図１１のチャートの縦軸は、図８に関連して説明されたエイジング率の大きさを示す。
【００６２】
図８に関連して説明されたステップＳ４１０乃至ステップＳ４５０の手順に従うならば、高いエイジング率が設定された分割領域（例えば、分割領域Ｄ４４）に対して、比較的長い期間のエイジング処理（即ち、所定輝度下における発光処理、所定温度における加熱処理及び／又は所定周波数での高周波駆動処理）が行われる。低いエイジング率が設定された分割領域（例えば、分割領域Ｄ１１）に対して、比較的短い期間のエイジング処理が行われる。この結果、エイジング条件設定工程において設定された条件に従ったエイジング処理が達成される。
【００６３】
例えば、比較的大きな値のエイジング率ＡＲ４４が設定された分割領域Ｄ４４に対するエイジング処理に時間「ｔ３」を要するならば、エイジング率ＡＲ４４よりも小さなエイジング率ＡＲ１１が設定された分割領域Ｄ１１のエイジング処理に要する時間「ｔ１」は、時間「ｔ３」よりも短くなる。エイジング率ＡＲ４４とエイジング率ＡＲ１１との間のエイジング率ＡＲ２２に設定された分割領域Ｄ２２のエイジング処理に要する時間「ｔ２」は、時間「ｔ１」よりも長く、且つ、時間「ｔ３」よりも短くなる。
【００６４】
本実施形態において、分割領域Ｄ１１乃至Ｄ７６ごとに異なるエイジング処理時間が設定される。代替的に、分割領域Ｄ１１乃至Ｄ７６ごとに異なる他のエイジング処理条件が設定されてもよい。図８に関連して説明されたステップＳ４１０において、比較的大きな値のエイジング率ＡＲ４４が設定された分割領域Ｄ４４が、他の領域（例えば、分割領域Ｄ１１や分割領域Ｄ２２）よりも高い輝度で発光されてもよい。また、比較的小さな値のエイジング率ＡＲ１１が設定された分割領域Ｄ１１が、他の領域（例えば、分割領域Ｄ４４や分割領域Ｄ２２）よりも低い輝度で発光されてもよい。エイジング率ＡＲ４４とエイジング率ＡＲ１１との間のエイジング率ＡＲ２２に設定された分割領域Ｄ２２は、ステップＳ４１０において、分割領域Ｄ１１の発光輝度よりも高く、且つ、分割領域Ｄ４４の発光輝度よりも低い輝度で発光されてもよい。
【００６５】
更に代替的に、図８に関連して説明されたステップＳ４１０において、比較的大きな値のエイジング率ＡＲ４４が設定された分割領域Ｄ４４は、他の領域（例えば、分割領域Ｄ１１や分割領域Ｄ２２）よりも高い温度環境下に曝されてもよい。比較的小さな値のエイジング率ＡＲ１１が設定された分割領域Ｄ１１は、他の領域（例えば、分割領域Ｄ４４や分割領域Ｄ２２）よりも低い温度環境下に曝されてもよい。エイジング率ＡＲ４４とエイジング率ＡＲ１１との間のエイジング率ＡＲ２２に設定された分割領域Ｄ２２は、ステップＳ４１０において、分割領域Ｄ１１よりも高く、且つ、分割領域Ｄ４４よりも低い温度環境下に曝されてもよい。
【００６６】
更に代替的に、図８に関連して説明されたステップＳ４１０において、比較的大きな値のエイジング率ＡＲ４４が設定された分割領域Ｄ４４に対して、他の領域（例えば、分割領域Ｄ１１や分割領域Ｄ２２）よりも高い周波数での高周波駆動処理が実行されてもよい。比較的小さな値のエイジング率ＡＲ１１が設定された分割領域Ｄ１１に対して、他の領域（例えば、分割領域Ｄ４４や分割領域Ｄ２２）よりも低い周波数での高周波駆動処理が実行されてもよい。エイジング率ＡＲ４４とエイジング率ＡＲ１１との間のエイジング率ＡＲ２２に設定された分割領域Ｄ２２に対して、ステップＳ４１０において、分割領域Ｄ１１よりも高く、且つ、分割領域Ｄ４４よりも低い周波数での高周波駆動処理が実行されてもよい。
【００６７】
上述の如く、分割領域Ｄ１１乃至Ｄ７６ごとに発光輝度、温度及び／又は交流電圧の周波数を変更することによって、分割領域Ｄ１１乃至Ｄ７６の間でのエイジング処理に要する時間長さの差異が低減される。理想的には、分割領域Ｄ１１乃至Ｄ７６ごとの発光輝度、温度及び／又は交流電圧の周波数の調整の結果、分割領域Ｄ１１乃至Ｄ７６に亘って、エイジング処理に要する時間長さは略一定となる。
【００６８】
エイジング工程が完了した後、駆動回路基板２００の設定が調整されてもよい。駆動回路基板２００の設定が調整された後、駆動回路基板２００は、図８に関連して説明されたエイジング条件に基づき、表示画素１１１それぞれを駆動するための信号電流を印加することができる。
【００６９】
（表示装置）
図１２は、表示装置５００の概略的な斜視図である。図１乃至５及び図１２を用いて、表示装置５００が説明される。
【００７０】
表示装置５００は、図２乃至図４に関連して説明された組立体３００に加えて、筐体５１０を備える。図１に関連して説明されたエイジング工程の後、組立体３００は、筐体５１０内に固定され、表示装置５００が完成する。筐体５１０からは、表示領域１１０が露出する。
【００７１】
図５には、高温領域において映像を表示するために用いられる表示画素１１１Ｈ及び低温領域において映像を表示するために用いられる表示画素１１１Ｌが複数の表示画素１１１として示されている。表示画素１１１Ｈ及び表示画素１１１Ｌを用いて、表示装置５００の輝度特性が説明される。本実施形態において、表示画素１１１Ｌは、第１表示画素として例示される。表示画素１１１Ｈは、第２表示画素として例示される。
【００７２】
図１３Ａ及び図１３Ｂは、表示装置の輝度特性を概略的に表すグラフである。図１、図５、図１３Ａ及び図１３Ｂを用いて、表示装置の輝度特性が説明される。
【００７３】
図１３Ａは、図１に関連して説明されたエイジング工程を経て製造された表示装置の輝度特性を表す概略的なグラフである。図１３Ｂは、エイジング工程を経ずに製造された表示装置の輝度特性を表す概略的なグラフである。図１３Ａ及び図１３Ｂのグラフの横軸は、表示画素１１１Ｈ，１１１Ｌの発光時間を表す。図１３Ａ及び図１３Ｂのグラフにおいて、表示画素１１１Ｈ，１１１Ｌは、総計、１０００時間に亘って発光している。図１３Ａ及び図１３Ｂのグラフの縦軸は、所定電流が表示画素１１１Ｈ，１１１Ｌに所定時間印加されたときの表示画素１１１Ｈ，１１１Ｌの相対輝度を表す。
【００７４】
表示画素１１１Ｈ，１１１Ｌの輝度は、経時的に低下する。したがって、表示画素１１１Ｈ，１１１Ｌの輝度及びこれらの相対輝度は、時間の関数として表現される。以下の数式において、「ｔ」は、時刻を意味する。ＢＨ（ｔ）は、時刻「ｔ」における表示画素１１１Ｈの輝度を表す。ＢＬ（ｔ）は、時刻「ｔ」における表示画素１１１Ｌの輝度を表す。ＲＢＨ（ｔ）は、時刻「ｔ」における表示画素１１１Ｈの相対輝度を表す。ＲＢＬ（ｔ）は、時刻「ｔ」における表示画素１１１Ｌの相対輝度を表す。ＢＨ（０）は、発光開始時刻における表示画素１１１Ｈの輝度を表す。ＢＬ（０）は、発光開始時刻における表示画素１１１Ｌの輝度を表す。
【００７５】
（数４）
0005842249.tif 000003
【００７６】
（数５）
0005842249.tif 000004
【００７７】
エイジング工程の効果の明瞭化のため、表示画素１１１Ｌが存する分割領域に対して、エイジング工程は施与されていない。したがって、図１３Ａ及び図１３Ｂにおいて表示画素１１１Ｌ（低温領域の表示画素）に対応する曲線は共通である。
【００７８】
図１３Ａ及び図１３Ｂの表示画素１１１Ｈ（高温領域の表示画素）に対応する曲線を比較すると、エイジング工程が施与されない場合、発光開始時刻から１００時間を経過するまでの間に相対輝度ＲＢＨ（ｔ）は著しく低下することが分かる。一方、エイジング工程が施与されるならば、発光開始時刻から１００時間を経過するまでの間の相対輝度ＲＢＨ（ｔ）の低下は緩和される。
【００７９】
以下の数式において、ＢＤＨ（ｔ）は、表示画素１１１Ｈに対する相対輝度の降下率を表す。ＢＤＬ（ｔ）は、表示画素１１１Ｌに対する相対輝度の降下率を表す。
【００８０】
（数６）
0005842249.tif 000005
【００８１】
（数７）
0005842249.tif 000006
【００８２】
図１３Ａに示される表示画素１１１Ｈ，１１１Ｌとの間の相対輝度の降下率の差異は、「２％」未満である。尚、高温領域の表示画素の降下率と低温領域の表示画素の降下率との差異が、「１０％」以下であるならば、表示領域１１０中における経時的な輝度変化のばらつき（表示領域１１０中の温度分布によって規定される領域間での輝度変化のばらつき）に起因する画質の低下は観察されにくい。
【００８３】
上述された実施形態に係る表示装置は、以下の製造工程を経て製造される。当該製造工程に従って製造された表示装置は、長期間に亘って、均一な輝度特性を維持することができる。
【００８４】
上述された実施形態の一の局面に係る表示装置の製造方法は、前記映像を表示する表示領域を規定する複数の表示画素を含む表示パネルを準備する第１工程と、前記表示領域を複数の分割領域に区分けする第２工程と、前記映像を表示するために前記表示パネルを駆動するときに生ずる熱によって発生する前記表示領域中の温度分布に対応して、前記分割領域ごとにエイジング条件を設定する第３工程と、前記エイジング条件の下、前記分割領域ごとに前記表示画素をエイジングする第４工程と、を含むことを特徴とする。
【００８５】
上記構成によれば、第１工程において、映像を表示する表示領域を規定する複数の表示画素を含む表示パネルが用意される。第２工程において、表示領域は、複数の分割領域に区分けされる。第３工程において、分割領域ごとにエイジング条件が設定される。第４工程において、表示画素は、分割領域ごとにエイジングされる。分割領域ごとのエイジング条件は、映像を表示するために表示パネルを駆動するときに生ずる熱によって発生する表示領域中の温度分布に対応するので、表示装置は、長期間に亘って、均一な輝度特性を維持することができる。
【００８６】
上記構成において、前記第２工程において、前記表示領域は、前記温度分布の温度域に基づき、前記複数の分割領域に分割されることが好ましい。
【００８７】
上記構成によれば、第２工程において、表示領域は、温度分布の温度域に基づき、複数の分割領域に分割されるので、エイジング条件は、表示領域中の温度分布に対応して適切に設定される。
【００８８】
上記構成において、表示装置の製造方法は、前記表示パネルと共通する製造条件下で製造された他の表示パネルから前記温度分布に関する分布データを取得する工程を更に含み、前記エイジング条件は、前記分布データに基づき設定されることが好ましい。
【００８９】
上記構成によれば、表示装置の製造方法は、表示装置と共通する製造条件下で製造された他の表示装置から温度分布に関する分布データを取得する工程を更に含む。エイジング条件は、分布データに基づき設定されるので、エイジング処理の対象となる表示パネルの温度分布を測定することなく、分割領域の設定がなされる。
【００９０】
上記構成において、前記分布データは、前記共通する製造条件下で製造された他の複数の表示パネルから得られた温度分布の平均データであることが好ましい。
【００９１】
上記構成によれば、分布データは、共通する製造条件下で製造された他の複数の表示パネルから得られた温度分布の平均データであるので、表示領域は適切に区分される。
【００９２】
上記構成において、前記第１工程において準備された前記表示画素が所定の輝度を指示する輝度信号の下において発する処理前輝度よりも、前記第４工程後において前記輝度信号の下、前記表示画素が発する処理後輝度の方が低くなるように、前記エイジング条件が設定されることが好ましい。
【００９３】
上記構成によれば、第１工程において準備された表示画素が所定の輝度を指示する輝度信号の下において発する処理前輝度よりも、第４工程後において輝度信号の下、表示画素が発する処理後輝度の方が低くなるように、エイジング条件が設定されるので、表示装置は、長期間に亘って、均一な輝度特性を維持することができる。
【００９４】
上記構成において、前記複数の分割領域は、前記熱によって１０℃以上の温度上昇が観察される第１分割領域を含み、前記エイジング条件は、前記第１分割領域の処理前輝度に対して、前記第１分割領域の処理後輝度が５％以上低下するように設定されることが好ましい。
【００９５】
上記構成によれば、複数の分割領域は、熱によって１０℃以上の温度上昇が観察される第１分割領域を含む。エイジング条件は、第１分割領域の処理前輝度に対して、第１分割領域の処理後輝度が５％以上低下するように設定されるので、第４工程の後の発光に伴う急激な輝度低下が抑制される。
【００９６】
上記構成において、前記複数の分割領域は、前記熱によって２５℃以上の温度上昇が観察される第２分割領域を含み、前記エイジング条件は、前記第２分割領域の処理前輝度に対して、前記第２分割領域の処理後輝度が１４％以上低下するように設定されることが好ましい。
【００９７】
上記構成によれば、複数の分割領域は、熱によって２５℃以上の温度上昇が観察される第２分割領域を含む。エイジング条件は、第２分割領域の処理前輝度に対して、第２分割領域の処理後輝度が１４％以上低下するように設定されるので、第４工程の後の発光に伴う急激な輝度低下が抑制される。
【００９８】
上記構成において、前記複数の分割領域は、前記熱によって５０℃以上の温度上昇が観察される第３分割領域を含み、前記エイジング条件は、前記第３分割領域の処理前輝度に対して、前記第３分割領域の処理後輝度が３２％以上低下するように設定されることが好ましい。
【００９９】
上記構成によれば、複数の分割領域は、熱によって５０℃以上の温度上昇が観察される第２分割領域を含む。エイジング条件は、第２分割領域の処理前輝度に対して、第２分割領域の処理後輝度が３２％以上低下するように設定されるので、第４工程の後の発光に伴う急激な輝度低下が抑制される。
【０１００】
上記構成において、前記第１工程において、前記表示画素を駆動する駆動部が前記表示パネルに取り付けられ、前記駆動部は、前記第４工程の後、前記エイジング条件に基づき、前記表示画素を駆動するための信号電流を印加することが好ましい。
【０１０１】
上記構成によれば、第１工程において、表示画素を駆動する駆動部が表示パネルに取り付けられる。駆動部は、第４工程の後、エイジング条件に基づき、表示画素を駆動するための信号電流を印加するので、表示装置は適切に映像を表示することができる。
【０１０２】
上記構成において、前記第４工程において、前記表示画素は、該表示画素を発光させる発光処理、前記表示画素を加熱する加熱処理及び前記表示画素を所定の周波数で駆動する駆動処理のうち少なくとも１つのエイジング処理を受けることが好ましい。
【０１０３】
上記構成によれば、第４工程において、表示画素は、表示画素を発光させる発光処理、表示画素を加熱する加熱処理及び表示画素を所定の周波数で駆動する駆動処理のうち少なくとも１つのエイジング処理を受けるので、第４工程の後の発光に伴う急激な輝度低下が抑制される。
【０１０４】
上記構成において、前記第４工程において、前記第２分割領域の前記表示画素は、前記第１分割領域の前記表示画素よりも長い期間、前記少なくとも１つのエイジング処理を受け、前記第３分割領域の前記表示画素は、前記第２分割領域の前記表示画素よりも長い期間、前記少なくとも１つのエイジング処理を受けることが好ましい。
【０１０５】
上記構成によれば、第２分割領域の表示画素は、第１分割領域の表示画素よりも長い期間、少なくとも１つのエイジング処理を受ける。また、第３分割領域の表示画素は、第２分割領域の表示画素よりも長い期間、少なくとも１つのエイジング処理を受ける。したがって、第１分割領域、第２分割領域及び第３分割領域との間で、長期間に亘って、均一な輝度特性が維持される。
【０１０６】
上記構成において、前記第４工程において、前記第２分割領域の前記表示画素は、前記第１分割領域の前記表示画素よりも高い輝度で発光され、前記第３分割領域の前記表示画素は、前記第２分割領域の前記表示画素よりも高い輝度で発光されることが好ましい。
【０１０７】
上記構成によれば、第２分割領域の表示画素は、第１分割領域の表示画素よりも高い輝度で発光される。また、第３分割領域の表示画素は、第２分割領域の表示画素よりも高い輝度で発光される。したがって、第１分割領域、第２分割領域及び第３分割領域との間で、長期間に亘って、均一な輝度特性が維持される。
【０１０８】
上記構成において、前記第４工程において、前記第２分割領域の前記表示画素は、前記第１分割領域の前記表示画素よりも高い温度環境に曝され、前記第３分割領域の前記表示画素は、前記第２分割領域の前記表示画素よりも高い温度環境に曝されることが好ましい。
【０１０９】
上記構成によれば、第２分割領域の表示画素は、第１分割領域の表示画素よりも高い温度環境に曝される。また、第３分割領域の表示画素は、第２分割領域の表示画素よりも高い温度環境に曝される。したがって、第１分割領域、第２分割領域及び第３分割領域との間で、長期間に亘って、均一な輝度特性が維持される。
【０１１０】
上記構成において、前記第４工程において、前記第２分割領域の前記表示画素は、前記第１分割領域の前記表示画素よりも高い周波数で駆動され、前記第３分割領域の前記表示画素は、前記第２分割領域の前記表示画素よりも高い周波数で駆動されることが好ましい。
【０１１１】
上記構成によれば、第２分割領域の表示画素は、第１分割領域の表示画素よりも高い周波数の交流電流で駆動される。第３分割領域の表示画素は、第２分割領域の表示画素よりも高い周波数の交流電流で駆動される。したがって、第１分割領域、第２分割領域及び第３分割領域との間で、長期間に亘って、均一な輝度特性が維持される。
【０１１２】
上述された実施形態の一の局面に係る表示装置は、前記映像を表示する表示領域を規定する複数の表示画素を含む表示パネルを備え、前記表示領域は、第１領域と、前記映像の表示のために前記表示パネルが駆動されている間、前記第１領域よりも高温となる第２領域と、を含み、前記複数の表示画素は、前記第１領域において前記映像を表示する第１表示画素と、前記第２領域において前記映像を表示する第２表示画素と、を含み、前記複数の表示画素に亘って所定電流が所定期間印加されたときの前記第１表示画素の輝度の降下率と、前記所定電流が前記所定期間印加されたときの前記第２表示画素の輝度の降下率と、の間の差異は、１０％以内であることを特徴とする。
【０１１３】
上記構成によれば、表示装置は、映像を表示する表示領域を規定する複数の表示画素を含む表示パネルを備える。表示領域は、第１領域と、映像の表示のために表示パネルが駆動されている間、第１領域よりも高温となる第２領域と、を含む。複数の表示画素は、第１領域において映像を表示する第１表示画素と、第２領域において映像を表示する第２表示画素と、を含む。複数の表示画素に亘って所定電流が所定期間印加されたときの第１表示画素の輝度の降下率と、所定電流が所定期間印加されたときの第２表示画素の輝度の降下率と、の間の差異は、１０％以内であるので、表示装置は、均一な輝度特性の下、映像を表示することができる。
【産業上の利用可能性】
【０１１４】
上述の実施形態に係る原理は、映像を表示するための表示装置に好適に適用される。
【符号の説明】
【０１１５】
１００・・・・・・・・・・表示パネル
１１０・・・・・・・・・・表示領域
１１１・・・・・・・・・・表示画素
１１１Ｈ・・・・・・・・・表示画素
１１１Ｌ・・・・・・・・・表示画素
５００・・・・・・・・・・表示装置
Ｄ１乃至Ｄ３・・・・・・・分割領域
Ｄ１１乃至Ｄ７６・・・・・分割領域
【図１】
0005842249.tif 000007
【図２】
0005842249.tif 000008
【図３】
0005842249.tif 000009
【図４】
0005842249.tif 000010
【図５】
0005842249.tif 000011
【図６】
0005842249.tif 000012
【図７】
0005842249.tif 000013
【図８】
0005842249.tif 000014
【図９】
0005842249.tif 000015
【図１０】
0005842249.tif 000016
【図１１】
0005842249.tif 000017
【図１２】
0005842249.tif 000018
【図１３Ａ】
0005842249.tif 000019
【図１３Ｂ】
0005842249.tif 000020